(57)【要約】  鼻腔投与容器（１００）は、開口部（１３Ｈ）を有する薬液貯留部（１０）および押圧部（２３Ｐ）を有するプランジャー（２０）を含む本体部（３０）と、ストッパ部（４２）を有し本体部（３０）に係合し且つ押圧部（２３Ｐ）がストッパ部（４２）に当接した状態でのみ本体部（３０）に対する係合が解除されるプランジャー移動量規制部材（４０）と、を備える。プランジャー（２０）が薬液貯留部（１０）内に押し込まれると、プランジャー（２０）は押圧部（２３Ｐ）がストッパ部（４２）に当接するまで前進し、プランジャー（２０）はプランジャー移動量規制部材（４０）が本体部（３０）から取り外された状態で薬液貯留部（１０）内にさらに押し込まれる。鼻腔投与容器（１００）は、簡単且つ適切に薬液を投与できる。
2012157582.tif 000002
【特許請求の範囲】
【請求項１】
一端（１２）側に噴霧ノズル（１２Ｍ）が設けられるとともに他端（１３）側に開口部（１３Ｈ）が設けられる薬液貯留部（１０）、および、前記開口部を通して前記薬液貯留部の内部に一端（２２）側から差し込まれるとともに他端（２３）側に押圧部（２３Ｐ）が設けられるプランジャー（２０）を含む本体部（３０）と、
前記押圧部と前記開口部との間に配置されるストッパ部（４２）を含み、前記本体部に係合するとともに、前記押圧部が前記ストッパ部に当接した状態でのみ前記本体部に対する係合状態が解除されるプランジャー移動量規制部材（４０，４０Ａ〜４０Ｄ）と、を備え、
前記プランジャーが前記薬液貯留部の内部に押し込まれることによって、前記プランジャーは前記押圧部が前記ストッパ部に当接するまで前進し、
前記プランジャーは、前記プランジャー移動量規制部材が前記本体部から取り外された状態で、前記薬液貯留部の内部にさらに押し込まれる、
鼻腔投与容器。
【請求項２】
前記本体部（３０）の外周面には第１嵌合部（１５Ｐ，１５Ｃ，１１Ｒ，１５Ｑ）が設けられ、
前記プランジャー移動量規制部材（４０Ａ〜４０Ｄ）は、前記本体部に取り付けられた状態で前記第１嵌合部に嵌合する第２嵌合部（４６Ｃ，４６Ｐ，４６Ｋ，４６Ｊ）を有し、
前記本体部に取り付けられた前記プランジャー移動量規制部材は、前記第１嵌合部および前記第２嵌合部同士の嵌合によって、前記本体部に対する移動が規制される、
請求項１に記載の鼻腔投与容器。
【請求項３】
前記プランジャー移動量規制部材（４０，４０Ａ〜４０Ｃ）は、前記プランジャーの外側から挟み込むように前記プランジャーに係合する挟持部（４２Ｅ，４３Ｅ）を有し、
前記プランジャーの前記他端側には括れ部（２６）が設けられ、
前記押圧部が前記ストッパ部に当接した状態では、前記挟持部が前記括れ部に対向するように位置するとともに、前記プランジャー移動量規制部材の前記プランジャーに対する係合状態は解除される、
請求項１または２に記載の鼻腔投与容器。
【請求項４】
前記プランジャー（２０）は、前記押圧部が前記ストッパ部に当接した状態で前記第１嵌合部および前記第２嵌合部同士の係合を解除する第１当接部（２７）を有する、
請求項２に記載の鼻腔投与容器。
【請求項５】
前記プランジャー（２０）は、前記プランジャー移動量規制部材が前記本体部に係合している状態で前記ストッパ部と前記押圧部との間に配置される第２当接部（２５，２５Ｄ）を有し、
前記プランジャーが前記薬液貯留部の内部に差し込まれることによって、前記第２当接部は前記ストッパ部および前記本体部のうちの一方に当接し、
前記プランジャーが前記薬液貯留部の内部に押し込まれることによって、前記プランジャーの前記ストッパ部および前記本体部のうちの前記一方に対する当接状態は解除される、
請求項１から４のいずれかに記載の鼻腔投与容器。
【発明の詳細な説明】
【技術分野】
【０００１】
本発明は、薬液を鼻腔に投与するための鼻腔投与容器に関する。
【背景技術】
【０００２】
特開２００１−１３７３４４号公報（特許文献１）に開示されるように、鼻腔投与容器は、左右の鼻腔に薬液を投与するために使用される。鼻腔投与容器が使用される際には、まず、鼻腔投与容器が一方の鼻腔に挿入された状態で、一方の鼻腔に所定の量の薬液が投与される。次に、鼻腔投与容器が他方の鼻腔に挿入された状態で、他方の鼻腔に残りの薬液が投与される。【０００３】
鼻腔投与容器としては、薬液を左右の鼻腔に投与する場合に、簡単且つ適切に所定の量（たとえば半分ずつ）の薬液を各鼻腔に投与することが望まれる。
【先行技術文献】
【特許文献】
【０００４】
【特許文献１】特開２００１−１３７３４４号公報
【発明の概要】
【発明が解決しようとする課題】
【０００５】
本発明は、薬液を左右の鼻腔に投与する際、より簡単且つ適切に投与することができる鼻腔投与容器を提供することを目的とする。
【課題を解決するための手段】
【０００６】
本発明に基づく鼻腔投与容器は、一端側に噴霧ノズルが設けられるとともに他端側に開口部が設けられる薬液貯留部、および、前記開口部を通して前記薬液貯留部の内部に一端側から差し込まれるとともに他端側に押圧部が設けられるプランジャーを含む本体部と、前記押圧部と前記開口部との間に配置されるストッパ部を含み、前記本体部に係合するとともに、前記押圧部が前記ストッパ部に当接した状態でのみ前記本体部に対する係合状態が解除されるプランジャー移動量規制部材と、を備え、前記プランジャーが前記薬液貯留部の内部に押し込まれることによって、前記プランジャーは前記押圧部が前記ストッパ部に当接するまで前進し、前記プランジャーは、前記プランジャー移動量規制部材が前記本体部から取り外された状態で、前記薬液貯留部の内部にさらに押し込まれる。【０００７】
好ましくは、前記本体部の外周面には第１嵌合部が設けられ、前記プランジャー移動量規制部材は、前記本体部に取り付けられた状態で前記第１嵌合部に嵌合する第２嵌合部を有し、前記本体部に取り付けられた前記プランジャー移動量規制部材は、前記第１嵌合部および前記第２嵌合部同士の嵌合によって、前記本体部に対する移動が規制される。【０００８】
好ましくは、前記プランジャー移動量規制部材は、前記プランジャーの外側から挟み込むように前記プランジャーに係合する挟持部を有し、前記プランジャーの前記他端側には括れ部が設けられ、前記押圧部が前記ストッパ部に当接した状態では、前記挟持部が前記括れ部に対向するように位置するとともに、前記プランジャー移動量規制部材の前記プランジャーに対する係合状態は解除される。【０００９】
好ましくは、前記プランジャーは、前記押圧部が前記ストッパ部に当接した状態で前記第１嵌合部および前記第２嵌合部同士の係合を解除する第１当接部を有する。【００１０】
好ましくは、前記プランジャーは、前記プランジャー移動量規制部材が前記本体部に係合している状態で前記ストッパ部と前記押圧部との間に配置される第２当接部を有し、前記プランジャーが前記薬液貯留部の内部に差し込まれることによって、前記第２当接部は前記ストッパ部および前記本体部のうちの一方に当接し、前記プランジャーが前記薬液貯留部の内部に押し込まれることによって、前記プランジャーの前記ストッパ部および前記本体部のうちの前記一方に対する当接状態は解除される。
【発明の効果】
【００１１】
本発明によれば、薬液を左右の鼻腔に投与する際、より簡単且つ適切に投与することができる鼻腔投与容器を得ることができる。
【図面の簡単な説明】
【００１２】
【図１】実施の形態１における鼻腔投与容器を示す斜視図である。
【図２】実施の形態１における鼻腔投与容器を示す正面図であり、図１中の矢印ＩＩ方向からの矢視図である。
【図３】実施の形態１における鼻腔投与容器を示す側面図であり、図１中の矢印ＩＩＩ方向からの矢視図である。
【図４】図２中のＩＶ−ＩＶ線に沿った矢視断面図である。
【図５】実施の形態１における鼻腔投与容器の一部を分解した（プランジャー移動量規制部材を本体部から取り外した）状態を示す斜視図である。
【図６】図５中のＶＩ−ＶＩ線に沿った矢視断面図である。
【図７】実施の形態１における鼻腔投与容器の第１投与準備状態を示す断面図である。
【図８】実施の形態１における鼻腔投与容器の第１投与開始状態を示す断面図である。
【図９】実施の形態１における鼻腔投与容器の第１投与完了状態を示す断面図である。
【図１０】実施の形態１における鼻腔投与容器の第２投与準備状態を示す断面図である。
【図１１】実施の形態１における鼻腔投与容器の第２投与開始状態を示す断面図である。
【図１２】実施の形態１における鼻腔投与容器の第２投与完了状態を示す断面図である。
【図１３】実施の形態２における鼻腔投与容器を示す斜視図である。
【図１４】実施の形態２における鼻腔投与容器の一部を分解した（プランジャー移動量規制部材を本体部から取り外した）状態を示す斜視図である。
【図１５】実施の形態２における鼻腔投与容器を示す側面図である。
【図１６】実施の形態３における鼻腔投与容器の一部を分解した（プランジャー移動量規制部材を本体部から取り外した）状態を示す第１斜視図である。
【図１７】実施の形態３における鼻腔投与容器の一部を分解した（プランジャー移動量規制部材を本体部から取り外した）状態を示す第２斜視図である。
【図１８】実施の形態３における鼻腔投与容器を示す側面図である。
【図１９】実施の形態４における鼻腔投与容器を示す斜視図である。
【図２０】図１９中のＸＸ−ＸＸ線に沿った矢視断面図である。
【図２１】実施の形態４における鼻腔投与容器を組み立てる際の様子を示す断面図である。
【図２２】実施の形態５における鼻腔投与容器を示す第１斜視図である。
【図２３】実施の形態５における鼻腔投与容器を示す第２斜視図である。
【図２４】実施の形態５における鼻腔投与容器の分解した状態を示す斜視図である。
【図２５】実施の形態５における鼻腔投与容器に備えられるプランジャー移動量規制部材およびフィンガークリップ部同士が組み立てられる際の様子を示す斜視図である。
【図２６】実施の形態５における鼻腔投与容器に備えられるフィンガークリップ部を示す斜視図である。
【図２７】実施の形態５における鼻腔投与容器が組み立てられる際の様子を示す断面図である。
【図２８】実施の形態５における鼻腔投与容器の第１投与準備状態を示す断面図である。
【図２９】実施の形態５における鼻腔投与容器の第１投与開始状態を示す断面図である。
【図３０】実施の形態５における鼻腔投与容器の第１投与完了状態を示す断面図である。
【図３１】実施の形態５における鼻腔投与容器の第２投与準備状態を示す断面図である。
【図３２】実施の形態５における鼻腔投与容器の第２投与開始状態を示す断面図である。
【図３３】実施の形態５における鼻腔投与容器の第２投与完了状態を示す断面図である。
【発明を実施するための形態】
【００１３】
本発明に基づいた各実施の形態について、以下、図面を参照しながら説明する。各実施の形態の説明において、個数、量などに言及する場合、特に記載がある場合を除き、本発明の範囲は必ずしもその個数、量などに限定されない。各実施の形態の説明において、同一の部品、相当部品に対しては、同一の参照番号を付し、重複する説明は繰り返さない場合がある。
【００１４】
［実施の形態１］
（鼻腔投与容器１００の構成）
図１〜図６を参照して、本実施の形態における鼻腔投与容器１００の構成について説明する。
【００１５】
図１は、鼻腔投与容器１００を示す斜視図である。図２は、鼻腔投与容器１００を示す正面図であり、図１中の矢印ＩＩ方向からの矢視図である。図３は、鼻腔投与容器１００を示す側面図であり、図１中の矢印ＩＩＩ方向からの矢視図である。
【００１６】
図１〜図３に示すように、鼻腔投与容器１００は、本体部３０およびプランジャー移動量規制部材４０を備える。本体部３０は、薬液貯留部１０およびプランジャー２０を含む。
【００１７】
（薬液貯留部１０）
薬液貯留部１０は、バレル１１およびフィンガークリップ部１４から構成される。バレル１１は、中空の略円筒状に形成される。バレル１１の内部に、後述するプランジャー２０およびガスケット２８が差し込まれる。バレル１１の一端は、薬液貯留部１０の一端１２を構成する。薬液貯留部１０の一端１２側に、ノズル１２Ｎ（シリンジノズル）が形成される。薬液貯留部１０の一端１２側には、ノズル１２Ｎを通してバレル１１の内部に連通する噴霧ノズル１２Ｍ（図１参照）が取り付けられる。図１に図示される噴霧ノズル１２Ｍは、他の図面には図示されていないが、本実施の形態および以下の各実施の形態において、噴霧ノズル１２Ｍはバレル１１に取り付けられているものとする。バレル１１と噴霧ノズル１２Ｍとは、互いに一体的に構成されてもよく、本実施の形態のように別体として構成された後に互いに組み付けられてもよい。
【００１８】
図４は、図２中のＩＶ−ＩＶ線に沿った矢視断面図である。図４（および図１）に示すように、バレル１１の他端側には、筒径方向の外側に膨出する環状のフランジ部１１Ｒが設けられる。フランジ部１１Ｒの内側に、バレル１１の内部に連通する開口部１１Ｈ（図４参照）が形成される。
【００１９】
フィンガークリップ部１４には、フランジ部１１Ｒの外形形状に対応した切り欠き部１４Ｕが設けられる（図１も参照）。切り欠き部１４Ｕは、フィンガークリップ部１４の外縁に向かって貫通する開口部１４Ｊに連通している。フィンガークリップ部１４は、フランジ部１１Ｒを挟み込みつつ、フランジ部１１Ｒに対して摩擦係合によって取り付けられる。
【００２０】
フィンガークリップ部１４には、プランジャー２０およびガスケット２８を通すための開口部１４Ｈ（図４参照）も設けられる。開口部１４Ｈに連続して、垂下部１５が垂れ下がるように設けられる。垂下部１５は、略半割の円筒状に形成される。垂下部１５の垂れ下がる方向の先端部が、薬液貯留部１０の他端１３を構成する。薬液貯留部１０の他端１３側に、プランジャー２０およびガスケット２８を通すための開口部１３Ｈが形成される。
【００２１】
（プランジャー２０）
図５は、鼻腔投与容器１００の一部を分解した（プランジャー移動量規制部材４０を本体部３０から取り外した）状態を示す斜視図である。図５（および図４）に示すように、プランジャー２０は、略棒状に形成される。プランジャー２０は、薄板状に形成された４つのリブ部２１を有する。
【００２２】
４つのリブ部２１は、プランジャー２０の長手方向に沿って、プランジャー２０の一端２２（図４参照）から他端２３（図４参照）に向かって延在する。図５に示すように、４つのリブ部２１は、９０°間隔で配置されるとともに、プランジャー２０の長手方向に対して直交するように外側に向かって起立する。
【００２３】
図４を再び参照して、プランジャー２０の一端２２には、ゴム製のガスケット２８が設けられる。プランジャー２０の他端２３には、円板状の押圧部２３Ｐが設けられる。上述のとおり、プランジャー２０は、一端２２側から、ガスケット２８とともに薬液貯留部１０（バレル１１）の開口部１３Ｈを通して薬液貯留部１０（バレル１１）の内部に差し込まれる。
【００２４】
本実施の形態におけるプランジャー２０の他端２３側には、括れ部２６が設けられる。括れ部２６の高さ（プランジャー２０の長手方向に対して直交する方向の（図４紙面左右方向の）寸法）は、各々のリブ部２１の起立方向の先端部２４に比較して、相対的に低く設けられる。換言すると、各々のリブ部２１は、括れ部２６において括れている。
【００２５】
４つのリブ部２１の各々においては、先端部２４と括れ部２６との間に、当接部２５（第２当接部）が設けられる。なお、当接部２５は必要に応じて設けられるとよい。当接部２５が先端部２４と括れ部２６との間に設けられる場合、当接部２５は、リブ部２１の先端部２４から、プランジャー２０の長手方向に対して直交する方向に突出するように設けられる。当接部２５の突出方向の先端部は、フィンガークリップ部１４の垂下部１５の内径に対して、（図４紙面左右方向において）わずかに外側に位置している。当接部２５および括れ部２６のさらなる詳細については後述する。
【００２６】
（プランジャー移動量規制部材４０）
図５を再び参照して、プランジャー移動量規制部材４０は、把持部４１、ストッパ部４２、およびストッパ部４３を含む。ストッパ部４２およびストッパ部４３は、平板状に形成された把持部４１の端部から連続するように形成される。ストッパ部４２およびストッパ部４３は、把持部４１を挟んで対称に形成され、全体として略半割の円筒形状を呈している。
【００２７】
図６は、図５中のＶＩ−ＶＩ線に沿った矢視断面図である。図６に示すように、ストッパ部４２の先端には、挟持部４２Ｅが設けられる。挟持部４２Ｅは、ストッパ部４２の先端から内側に向かって折り返すように形成される。ストッパ部４３の先端には、挟持部４３Ｅが設けられる。挟持部４３Ｅも、ストッパ部４３の先端から内側に向かって折り返すように形成される。
【００２８】
挟持部４２Ｅおよび挟持部４３Ｅ同士の間の間隔Ｌ１は、リブ部２１の起立方向における先端部２４同士の間隔Ｌ２よりも、わずかに小さく設けられる（間隔Ｌ１＜間隔Ｌ２）。プランジャー移動量規制部材４０は、挟持部４２Ｅ，４３Ｅを利用して、プランジャー２０のリブ部２１（リブ部２１の先端部２４）を外側から挟み込むように、プランジャー２０に対して係合することができる。
【００２９】
一方、挟持部４２Ｅおよび挟持部４３Ｅ同士の間の間隔Ｌ１は、括れ部２６の先端同士の間隔Ｌ３よりもわずかに広く設けられる（間隔Ｌ１＞間隔Ｌ３）。さらに、図４に示すように、挟持部４２Ｅ，４３Ｅの長手方向の寸法Ｈ１は、プランジャー２０の括れ部２６の同方向の寸法Ｈ２よりも、わずかに小さく設けられる（寸法Ｈ１＜寸法Ｈ２）。挟持部４２Ｅ，４３Ｅと括れ部２６とが互いに対向するように配置された状態においては、プランジャー移動量規制部材４０は、プランジャー２０に対して係合していない。
【００３０】
図５および図６に示すように、ストッパ部４２およびストッパ部４３の内周側には、長溝４０Ｍが設けられてもよい。長溝４０Ｍは、プランジャー２０のリブ部２１の形状に対応するように形成される。プランジャー移動量規制部材４０がプランジャー２０に取り付けられた状態（プランジャー移動量規制部材４０の挟持部４２Ｅ，４３Ｅとプランジャー２０のリブ部２１とが互いに係合している状態）において、リブ部２１の先端部２４と長溝４０Ｍとが互いに嵌合することによって、プランジャー移動量規制部材４０のプランジャー２０に対する回転動作は、抑制または防止されることができる。また、長溝４０Ｍの内側には、リブ４０Ｙ（図６参照）が設けられてもよい（リブ４０Ｙの動作については後述する）。
【００３１】
（鼻腔投与容器１００の組立て）
図４を再び参照して、鼻腔投与容器１００が組み立てられる際には、まず、ガスケット２８が、バレル１１の開口部１１Ｈを通して、バレル１１の内部に差し込まれる。ガスケット２８がバレル１１の内部に差し込まれる前に、バレル１１の一端１２にゴムキャップなどが取り付けられ、この状態でバレル１１の内部に薬液が充填されてもよい。
【００３２】
必要に応じてバレル１１の内部に薬液が充填された後、ガスケット２８にプランジャー２０が取り付けられる。バレル１１のフランジ部１１Ｒに対して、フィンガークリップ部１４が取り付けられる。上述のとおり、フィンガークリップ部１４は、フランジ部１１Ｒを挟み込みつつ、フランジ部１１Ｒに対して摩擦係合によって取り付けられる。
【００３３】
その後、プランジャー移動量規制部材４０がプランジャー２０に取り付けられる（矢印ＡＲ４０参照）。プランジャー移動量規制部材４０をプランジャー２０に取り付ける際には、プランジャー移動量規制部材４０をフィンガークリップ部１４に接近させる。プランジャー移動量規制部材４０のストッパ部４２，４３は、挟持部４２Ｅ，４３Ｅがリブ部２１に係合するために、外側に向かってわずかに弾性変形する。
【００３４】
挟持部４２Ｅ，４３Ｅがリブ部２１を乗り越えることによって、ストッパ部４２，４３は、プランジャー２０に対して係合する。また、上述のとおり、バレル１１の一端１２には、噴霧ノズル１２Ｍ（図１参照）が取り付けられる。以上のようにして、鼻腔投与容器１００は組み立てられる。
【００３５】
なお、プランジャー移動量規制部材４０は、本体部３０（プランジャー２０）に対して以下のように取り付けられてもよい。まず、プランジャー２０を薬液貯留部１０の内部に差し込み、プランジャー２０の当接部２５を垂下部１５の他端１３に当接させる。薬液貯留部１０およびプランジャー２０同士の相対的な位置関係を固定した状態で、プランジャー２０の括れ部２６とプランジャー移動量規制部材４０のストッパ部４２，４３とを互いに対向するように配置する。プランジャー移動量規制部材４０のストッパ部４２，４３が括れ部２６の外周を囲うように、プランジャー移動量規制部材４０とプランジャー２０とを互いに隣接配置させる。
【００３６】
次に、プランジャー移動量規制部材４０および薬液貯留部１０同士の相対的な位置関係を固定した状態で、プランジャー２０が薬液貯留部１０から遠ざかる方向に移動される。プランジャー２０の当接部２５がプランジャー移動量規制部材４０のストッパ部４２，４３の内側を通過する際には、ストッパ部４２，４３は外側に向かってわずかに弾性変形する。当接部２５がストッパ部４２，４３の内側を通過し終えることによって、図４に示す状態と同様の状態が得られる。鼻腔投与容器１００は、このようにして組み立てられてもよい。
【００３７】
図１を再び参照して、鼻腔投与容器１００が組み立てられた状態において、プランジャー移動量規制部材４０のストッパ部４２，４３は、プランジャー２０の押圧部２３Ｐと薬液貯留部１０（フィンガークリップ部１４）の開口部１３Ｈとの間に配置される。プランジャー移動量規制部材４０は、挟持部４２Ｅ，４３Ｅを利用して、本体部３０（具体的には、プランジャー２０のリブ部２１）に係合する。プランジャー２０の当接部２５は、プランジャー移動量規制部材４０のストッパ部４２，４３とプランジャー２０の押圧部２３Ｐとの間に配置される。
【００３８】
上述のとおり、鼻腔投与容器１００においては、図６における間隔Ｌ１＜間隔Ｌ２、図６における間隔Ｌ１＞間隔Ｌ３、および、図４における寸法Ｈ１＜寸法Ｈ２の関係が成立している。詳細は図９を参照して後述されるが、当該構成によって、プランジャー２０の押圧部２３Ｐがプランジャー移動量規制部材４０のストッパ部４２，４３に当接した状態（図９に示す状態）でのみ、プランジャー移動量規制部材４０の本体部３０に対する係合状態は解除されることが可能となっている。
【００３９】
（鼻腔投与容器１００の動作）
図７〜図１２を参照して、鼻腔投与容器１００の動作について説明する。鼻腔投与容器１００は、第１投与準備状態Ｓ１１（図７参照）、第１投与開始状態Ｓ１２（図８参照）、第１投与完了状態Ｓ１３（図９参照）、第２投与準備状態Ｓ１４（図１０参照）、第２投与開始状態Ｓ１５（図１１参照）、および、第２投与完了状態Ｓ１６（図１２参照）の各状態に順次遷移する。
【００４０】
詳細は次述されるが、第１投与準備状態Ｓ１１、第１投与開始状態Ｓ１２、および第１投与完了状態Ｓ１３を通して、薬液６０の第１回目の投与が実施される。第２投与準備状態Ｓ１４、第２投与開始状態Ｓ１５、および第２投与完了状態Ｓ１６を通して、薬液６０の第２回目の投与が実施される。
【００４１】
（第１投与準備状態Ｓ１１）
図７を参照して、鼻腔投与容器１００は、組み立てられた状態で、ノズル１２Ｎ側から薬液６０が注入（または吸入）される（図７に示す状態）。薬液６０の注入が完了することによって、鼻腔投与容器１００は第１投与準備状態Ｓ１１に遷移する。この際、薬液貯留部１０（バレル１１）の一端１２側に、空気６２が入り込む場合がある。
【００４２】
（第１投与開始状態Ｓ１２）
図８を参照して、鼻腔に投与されるべき薬液６０の量を所定の値に規定することと、（必要に応じて）薬液貯留部１０（バレル１１）の内部に入り込んだ空気を抜くこととを目的として、プライミングという動作が実施される。
【００４３】
具体的には、プランジャー２０が薬液貯留部１０（バレル１１）の内部に差し込まれる（矢印ＡＲ１参照）。プランジャー２０およびガスケット２８は、バレル１１の内部に対して摺接しつつ、プランジャー２０の当接部２５がプランジャー移動量規制部材４０のストッパ部４２，４３に当接するまで、バレル１１の内部に入り込む。ストッパ部４２，４３の内側には、プランジャー２０がバレル１１の内部に差し込まれる際に、当接部２５に当接するリブ（上述の図６におけるリブ４０Ｙ）が設けられているとよい。リブ４０Ｙが設けられていることによって、プランジャー２０の当接部２５は、このリブ４０Ｙに当接する。当該当接が得られるまで、プランジャー２０はバレル１１の内部に入り込む。
【００４４】
プランジャー２０の当接部２５がプランジャー移動量規制部材４０のストッパ部４２，４３（またはストッパ部４２，４３の内側に設けられたリブ４０Ｙ）に当接することによって、プランジャー移動量規制部材４０の本体部３０に対する移動は停止される（図８に示す状態）。本実施の形態においては、ストッパ部４２，４３が、「ストッパ部４２，４３および本体部３０のうちの一方」に相当している。
【００４５】
プランジャー移動量規制部材４０の本体部３０に対する移動が停止されることによって、鼻腔投与容器１００は第１投与開始状態Ｓ１２に遷移する。薬液貯留部１０（バレル１１）の内部の空気は薬液貯留部１０の外部に押し出され、鼻腔に投与されるべき薬液６０の量は所定の値に規定される（プライミングが実施される）。
【００４６】
（第１投与完了状態Ｓ１３）
図９を参照して、鼻腔に投与されるべき薬液６０の量が所定の値に規定された後、ノズル１２Ｎ側に取り付けられた噴霧ノズル１２Ｍ（図１参照）が一方の鼻腔の中に配置される。この状態で、押圧部２３Ｐを利用して、プランジャー２０は薬液貯留部１０（バレル１１）の内部に強く押し込まれる（矢印ＡＲ２参照）。
【００４７】
プランジャー２０が勢いよく押し込まれることによって、プランジャー２０の当接部２５がプランジャー移動量規制部材４０のストッパ部４２，４３（またはストッパ部４２，４３の内側に設けられたリブ４０Ｙ）に対して当接している状態は解除される。当接部２５がストッパ部４２，４３の内側に向かって入り込みつつ、プランジャー２０は薬液貯留部１０の内部を前進する。ガスケット２８は、プランジャー２０に押されることによって薬液貯留部１０の内部に入り込む。なお、ストッパ部４２，４３の内側にリブ４０Ｙが設けられていることによって、当接部２５とリブ４０Ｙとが所定以上の押圧力まで係合するので、噴霧開始時から高圧で鼻腔内に安定噴霧することができる。
【００４８】
薬液貯留部１０の内部の薬液６０は、ガスケット２８の移動によって噴霧ノズル１２Ｍ（図１参照）から噴霧される。噴霧ノズル１２Ｍから一方の鼻腔に向かって、薬液６０が霧状に投与される。プランジャー２０は、押圧部２３Ｐがプランジャー移動量規制部材４０のストッパ部４２，４３の下端に当接するまで前進する。
【００４９】
押圧部２３Ｐがプランジャー移動量規制部材４０のストッパ部４２，４３の下端に当接することによって、プランジャー２０の薬液貯留部１０に対する移動は停止される（図９に示す状態）。プランジャー２０の移動が停止することによって、第１回目の投与が完了し、鼻腔投与容器１００は第１投与完了状態Ｓ１３に遷移する。プランジャー２０の薬液貯留部１０に対するストローク量が、第１回目の薬液６０の投与量を規定している。
【００５０】
（第２投与準備状態Ｓ１４）
図１０を参照して、第１回目の薬液６０の投与が完了した状態（図９に示す状態）においては、プランジャー移動量規制部材４０の挟持部４２Ｅ，４３Ｅは、プランジャー２０の括れ部２６に対向するように位置している。挟持部４２Ｅ，４３Ｅおよび括れ部２６の配置関係によって、プランジャー移動量規制部材４０のプランジャー２０（リブ部２１）に対する係合状態は解除されている。
【００５１】
第２回目の薬液６０の投与を行なうために、矢印ＡＲ３に示すように、プランジャー移動量規制部材４０は本体部３０から取り外される（図１０に示す状態）。プランジャー移動量規制部材４０が本体部３０から取り外されることによって、鼻腔投与容器１００は第２投与準備状態Ｓ１４に遷移する。
【００５２】
（第２投与開始状態Ｓ１５）
図１１を参照して、プランジャー移動量規制部材４０が本体部３０から取り外された後（第２投与準備状態Ｓ１４の後）、鼻腔投与容器１００のノズル１２Ｎ側に取り付けられた噴霧ノズル１２Ｍ（図１参照）は、他方の鼻腔の中に配置される。これにより、鼻腔投与容器１００は第２投与開始状態Ｓ１５に遷移する。
【００５３】
（第２投与完了状態Ｓ１６）
図１２を参照して、鼻腔投与容器１００の噴霧ノズル１２Ｍ（図１参照）が他方の鼻腔の中に配置された後、押圧部２３Ｐを利用して、プランジャー２０が薬液貯留部１０（バレル１１）の内部にさらに押し込まれる（矢印ＡＲ４参照）。プランジャー２０は薬液貯留部１０の内部を前進する。ガスケット２８は、プランジャー２０に押されることによって薬液貯留部１０の内部にさらに入り込む。
【００５４】
フィンガークリップ部１４の垂下部１５の内側には、上述のリブ１４Ｙ（図６参照）と同様な作用を有するリブが設けられているとよい。プランジャー２０がバレル１１の内部にさらに押し込まれる際において、当接部２５はこのリブに係合している。当接部２５とこのリブとが所定以上の押圧力まで係合するので、噴霧開始時から高圧で鼻腔内に安定噴霧することができる。
【００５５】
薬液貯留部１０の内部の薬液６０は、ガスケット２８の移動によって噴霧ノズル１２Ｍ（図１参照）から噴霧される。噴霧ノズル１２Ｍから他方の鼻腔に向かって、薬液６０が霧状に投与される。プランジャー２０は、ガスケット２８がバレル１１の内部の上端に当接するまで前進する。プランジャー２０は、押圧部２３Ｐがフィンガークリップ部１４の垂下部１５の下端（他端１３）に当接するまで前進するように構成されてもよい。
【００５６】
ガスケット２８がバレル１１の内部の上端に当接するまで前進することによって、プランジャー２０の薬液貯留部１０に対する移動は停止される（図１２に示す状態）。プランジャー２０の移動が停止することによって、第２回目の投与が完了し、鼻腔投与容器１００は第２投与完了状態Ｓ１６に遷移する。プランジャー２０の薬液貯留部１０に対するストローク量が、第２回目の薬液６０の投与量を規定している。鼻腔投与容器１００は以上のように動作するとともに、鼻腔投与容器１００による薬液６０の投与は以上のように実施される。
【００５７】
（作用・効果）
鼻腔投与容器１００においては、上述のとおり、当接部２５がプランジャー２０に設けられるとともに、プランジャー移動量規制部材４０が本体部３０のプランジャー２０に取り付けられる。プランジャー２０の当接部２５がプランジャー移動量規制部材４０のストッパ部４２，４３に当接することによって、鼻腔投与容器１００は、第１投与準備状態Ｓ１１（図７参照）から第１投与開始状態Ｓ１２（図８参照）に容易に遷移することができる。なお、上述のとおり、当接部２５は必要に応じて設けられるとよい。
【００５８】
鼻腔投与容器１００においては、上述のとおり、第１投与準備状態Ｓ１１（図７参照）、第１投与開始状態Ｓ１２（図８参照）、および第１投与完了状態Ｓ１３（図９参照）を通して、プランジャー移動量規制部材４０は本体部３０に係合している。プランジャー２０の押圧部２３Ｐがプランジャー移動量規制部材４０のストッパ部４２，４３に当接した状態でのみ、プランジャー移動量規制部材４０の本体部３０に対する係合状態は解除されることが可能となっている。
【００５９】
第１回目の薬液６０の投与が完了するまでは、プランジャー移動量規制部材４０は本体部３０から取り外されないため、鼻腔投与容器１００は適切な量の投与を確実に実施することができる。第１回目の薬液６０の投与が完了するのと同時に、プランジャー移動量規制部材４０は、プランジャー２０の括れ部２６を利用して、本体部３０から容易に取り外されることができる。鼻腔投与容器１００は、第１回目の投与が完了した後、第２回目の投与を準備する上での利便性が高い。
【００６０】
（実施の形態１の他の構成）
第２回目の薬液６０の投与が開始される際（第２投与開始状態Ｓ１５（図１１参照））において、プランジャー２０の当接部２５は、垂下部１５の内周面に対して摩擦係合するように構成されてもよい。当該構成は、当接部２５の突出寸法を垂下部１５の内径に対して若干大きくすることによって得られる。
【００６１】
当該構成によれば、第２回目の投与が開始されるにあたって、当接部２５の垂下部１５の内周面に対する摩擦係合を解除するために、比較的大きな押圧力が押圧部２３Ｐに付与される。摩擦係合が比較的大きな押圧力によって解除された後、その勢いをもって、プランジャー２０は薬液貯留部１０の内部に勢いよく押し込まれることができる。薬液６０は、第２回目の投与においても良好な霧状となって適切に投与されることが可能となる。
【００６２】
なお、第１回目の薬液６０の投与が開始される際においても同様に、当接部２５がストッパ部４２，４３の内周面に対して摩擦係合するように構成されてもよい。当該構成によれば、第１回目の投与が開始されるにあたって、当接部２５のストッパ部４２，４３の内周面に対する摩擦係合を解除するために、比較的大きな押圧力が押圧部２３Ｐに付与される。摩擦係合が比較的大きな押圧力によって解除された後、その勢いをもって、プランジャー２０は薬液貯留部１０の内部に勢いよく押し込まれることができる。薬液６０は、第１回目の投与においても良好な霧状となって適切に投与されることが可能となる。
【００６３】
［実施の形態２］
図１３〜図１５を参照して、本実施の形態における鼻腔投与容器１０１について説明する。鼻腔投与容器１０１と上述の実施の形態１における鼻腔投与容器１００（図１参照）とは、以下の点において相違する。
【００６４】
図１３は、鼻腔投与容器１０１を示す斜視図である。図１３に示すように、鼻腔投与容器１０１は、本体部３０およびプランジャー移動量規制部材４０Ａを備える。本体部３０は、薬液貯留部１０およびプランジャー２０を含む。
【００６５】
図１４は、鼻腔投与容器１０１の一部を分解した（プランジャー移動量規制部材４０Ａを本体部３０から取り外した）状態を示す斜視図である。図１４に示すように、本実施の形態における薬液貯留部１０は、フィンガークリップ部１４Ａを含む。フィンガークリップ部１４Ａの垂下部１５の外周部には、凸部１５Ｐ（第１嵌合部）が設けられる。
【００６６】
本実施の形態におけるプランジャー移動量規制部材４０Ａは、ストッパ部４２およびストッパ部４３（図示せず）に隣接するように、囲い部４６が設けられる。囲い部４６は、半割の円筒状に形成される。囲い部４６には、垂下部１５に設けられた凸部１５Ｐの形状に対応する開口部４６Ｃ（第２嵌合部）が設けられる。
【００６７】
図１５は、鼻腔投与容器１０１を示す側面図である。図１５に示すように、プランジャー移動量規制部材４０Ａは、本体部３０に取り付けられる（矢印ＡＲ４０Ａ参照）。この状態で、凸部１５Ｐおよび開口部４６Ｃ同士は互いに嵌合する。当該嵌合によって、プランジャー移動量規制部材４０Ａの本体部３０に対する矢印ＡＲ４１Ａ方向の移動が規制される。
【００６８】
なお、上述の実施の形態１と同様に、プランジャー移動量規制部材４０Ａは、プランジャー２０の当接部２５を垂下部１５の他端１３に当接させた状態で本体部３０に取り付けられてもよい。この場合、プランジャー移動量規制部材４０Ａが本体部３０に取り付けられることによって凸部１５Ｐおよび開口部４６Ｃ同士は互いに嵌合する。凸部１５Ｐおよび開口部４６Ｃ同士の嵌合の後、プランジャー２０は薬液貯留部１０から遠ざかる方向に移動される。このように組み立てられても、図１３に示す状態を得ることができる。
【００６９】
また、フィンガークリップ部１４Ａがフランジ部１１Ｒに取り付けられる前に、プランジャー移動量規制部材４０Ａおよびフィンガークリップ部１４Ａ同士が予め互いに組み立てられていてもよい。プランジャー移動量規制部材４０Ａおよびフィンガークリップ部１４Ａ同士を一体化させた状態で、プランジャー移動量規制部材４０Ａおよびフィンガークリップ部１４Ａをバレル１１（フランジ部１１Ｒ）に対して容易に取り付けることができる。
【００７０】
鼻腔投与容器１０１においては、上述の実施の形態１と同様に、第１回目の投与および第２回目の投与がそれぞれ実施される。第１回目の投与時に、プランジャー移動量規制部材４０Ａの本体部３０に対する矢印ＡＲ４１Ａ方向（図１５参照）の移動が規制される。プランジャー移動量規制部材４０Ａが本体部３０に対して固定されるため、鼻腔投与容器１０１は、プランジャー２０を薬液貯留部１０の内部に押し込む際の動作上の安定性が良い。
【００７１】
［実施の形態３］
図１６〜図１８を参照して、本実施の形態における鼻腔投与容器１０２について説明する。鼻腔投与容器１０２と上述の実施の形態１における鼻腔投与容器１００（図１参照）とは、以下の点において相違する。
【００７２】
図１６は、鼻腔投与容器１０２の一部を分解した（プランジャー移動量規制部材４０Ｂを本体部３０から取り外した）状態を示す第１斜視図である。図１６に示すように、鼻腔投与容器１０２は、本体部３０およびプランジャー移動量規制部材４０Ｂを備える。本体部３０は、薬液貯留部１０およびプランジャー２０を含む。
【００７３】
図１７は、鼻腔投与容器１０２の一部を分解した（プランジャー移動量規制部材４０Ｂを本体部３０から取り外した）状態を示す第２斜視図である。図１７に示すように、本実施の形態における薬液貯留部１０は、フィンガークリップ部１４Ｂを含む。フィンガークリップ部１４Ｂの垂下部１５の外周部には、凹部１５Ｃ（第１嵌合部）が設けられる。
【００７４】
本実施の形態におけるプランジャー移動量規制部材４０Ｂは、把持部４１の端面４１Ｔに、垂下部１５に設けられた凹部１５Ｃの形状に対応する凸部４６Ｐ（第２嵌合部）が設けられる。
【００７５】
図１８は、鼻腔投与容器１０２を示す側面図である。図１８に示すように、プランジャー移動量規制部材４０Ｂは、本体部３０に取り付けられる（矢印ＡＲ４０Ｂ参照）。この状態で、凹部１５Ｃおよび凸部４６Ｐ同士は互いに嵌合する。当該嵌合によって、プランジャー移動量規制部材４０Ｂの本体部３０に対する矢印ＡＲ４１Ｂ方向の移動が規制される。
【００７６】
なお、上述の実施の形態１と同様に、プランジャー移動量規制部材４０Ｂは、プランジャー２０の当接部２５を垂下部１５の他端１３に当接させた状態で本体部３０に取り付けられてもよい。この場合、プランジャー移動量規制部材４０Ｂが本体部３０に取り付けられることによって凹部１５Ｃおよび凸部４６Ｐ同士は互いに嵌合する。凹部１５Ｃおよび凸部４６Ｐ同士の嵌合の後、プランジャー２０は薬液貯留部１０から遠ざかる方向に移動される。このように組み立てられても、図１８に示す状態を得ることができる。
【００７７】
また、フィンガークリップ部１４Ｂがフランジ部１１Ｒに取り付けられる前に、プランジャー移動量規制部材４０Ｂおよびフィンガークリップ部１４Ｂ同士が予め互いに組み立てられていてもよい。プランジャー移動量規制部材４０Ｂおよびフィンガークリップ部１４Ｂ同士を一体化させた状態で、プランジャー移動量規制部材４０Ｂおよびフィンガークリップ部１４Ｂをバレル１１（フランジ部１１Ｒ）に対して容易に取り付けることができる。
【００７８】
鼻腔投与容器１０２においては、上述の実施の形態１と同様に、第１回目の投与および第２回目の投与がそれぞれ実施される。第１回目の投与時に、プランジャー移動量規制部材４０Ｂの本体部３０に対する矢印ＡＲ４１Ｂ方向（図１８参照）の移動が規制される。上述の実施の形態２と同様に、プランジャー移動量規制部材４０Ｂが本体部３０に対して固定されるため、鼻腔投与容器１０２は、プランジャー２０を薬液貯留部１０の内部に押し込む際の動作上の安定性が良い。
【００７９】
［実施の形態４］
図１９〜図２１を参照して、本実施の形態における鼻腔投与容器１０３について説明する。鼻腔投与容器１０３と上述の実施の形態１における鼻腔投与容器１００（図１参照）とは、以下の点において相違する。
【００８０】
図１９は、鼻腔投与容器１０３を示す斜視図である。図１９に示すように、鼻腔投与容器１０３は、本体部３０およびプランジャー移動量規制部材４０Ｃを備える。本体部３０は、薬液貯留部１０およびプランジャー２０を含む。
【００８１】
図２０は、図１９中のＸＸ−ＸＸ線に沿った矢視断面図である。図２０に示すように、本実施の形態における薬液貯留部１０は、フィンガークリップ部１４Ｃを含む。フィンガークリップ部１４Ｃの切り欠き部１４Ｕは、フランジ部１１Ｒの周囲を開放するように切り欠かれている。本実施の形態においては、フランジ部１１Ｒが第１嵌合部を構成する。
【００８２】
本実施の形態におけるプランジャー移動量規制部材４０Ｃは、フランジ部１１Ｒの形状に対応した凹部４６Ｋ（第２嵌合部）を有する。凹部４６Ｋは、プランジャー移動量規制部材４０Ｃが本体部３０に取り付けられた状態においては、フランジ部１１Ｒに対して嵌合する。
【００８３】
図２１は、鼻腔投与容器１０３を示す断面図であり、鼻腔投与容器１０３を組み立てる際の様子を示している。図２１に示すように、プランジャー移動量規制部材４０Ｃは、本体部３０に取り付けられる（矢印ＡＲ４０Ｃ参照）。プランジャー移動量規制部材４０Ｃが本体部３０に取り付けられることによって、凹部４６Ｋおよびフランジ部１１Ｒ同士は互いに嵌合する。当該嵌合によって、プランジャー移動量規制部材４０Ｃの本体部３０に対する矢印ＡＲ４１Ｃ方向の移動が規制される。
【００８４】
なお、上述の実施の形態１と同様に、プランジャー移動量規制部材４０Ｃは、プランジャー２０の当接部２５を垂下部１５の他端１３に当接させた状態で本体部３０に取り付けられてもよい。この場合、プランジャー移動量規制部材４０Ｃが本体部３０に取り付けられることによって凹部４６Ｋおよびフランジ部１１Ｒ同士は互いに嵌合する。凹部４６Ｋおよびフランジ部１１Ｒ同士の嵌合の後、プランジャー２０は薬液貯留部１０から遠ざかる方向に移動される。このように組み立てられても、図１８に示す状態を得ることができる。
【００８５】
また、フィンガークリップ部１４Ｃがフランジ部１１Ｒに取り付けられる前に、プランジャー移動量規制部材４０Ｃおよびフィンガークリップ部１４Ｃ同士が予め互いに組み立てられていてもよい。プランジャー移動量規制部材４０Ｃおよびフィンガークリップ部１４Ｃ同士を一体化させた状態で、プランジャー移動量規制部材４０Ｃおよびフィンガークリップ部１４Ｃをバレル１１（フランジ部１１Ｒ）に対して容易に取り付けることができる。
【００８６】
鼻腔投与容器１０３においては、上述の実施の形態１と同様に、第１回目の投与および第２回目の投与がそれぞれ実施される。第１回目の投与時に、プランジャー移動量規制部材４０Ｃの本体部３０に対する矢印ＡＲ４１Ｃ方向（図２１参照）の移動が規制される。上述の実施の形態２，３と同様に、プランジャー移動量規制部材４０Ｃが本体部３０に対して固定されるため、鼻腔投与容器１０３は、プランジャー２０を薬液貯留部１０の内部に押し込む際の動作上の安定性が良い。
【００８７】
［実施の形態５］
（鼻腔投与容器１０４の構成）
図２２〜図２７を参照して、本実施の形態における鼻腔投与容器１０４の構成について説明する。図２２は、鼻腔投与容器１０４を示す第１斜視図である。図２３は、鼻腔投与容器１０４を示す第２斜視図である。
【００８８】
図２２および図２３に示すように、鼻腔投与容器１０４は、本体部３０およびプランジャー移動量規制部材４０Ｄを備える。本体部３０は、薬液貯留部１０およびプランジャー２０を含む。
【００８９】
（薬液貯留部１０）
薬液貯留部１０は、バレル１１およびフィンガークリップ部１４Ｄから構成される。バレル１１は、中空の略円筒状に形成される。バレル１１の内部に、後述するプランジャー２０およびガスケット２８が差し込まれる。バレル１１の一端は、薬液貯留部１０の一端１２を構成する。薬液貯留部１０の一端１２側に、ノズル１２Ｎが形成される。上述の実施の形態１と同様に、薬液貯留部１０の一端１２側には、ノズル１２Ｎを通してバレル１１の内部に連通する噴霧ノズル１２Ｍ（図１参照）が取り付けられる。バレル１１と噴霧ノズル１２Ｍとは、互いに一体的に構成されてもよく、本実施の形態のように別体として構成された後に互いに組み付けられてもよい。
【００９０】
図２４は、鼻腔投与容器１０４の分解した状態を示す斜視図である。上述の実施の形態１と同様に、バレル１１の他端側には、筒径方向の外側に膨出するフランジ部１１Ｒが設けられる。フランジ部１１Ｒの内側に、バレル１１の内部に連通する開口部１１Ｈが形成される。
【００９１】
フィンガークリップ部１４Ｄには、フランジ部１１Ｒの形状に対応した切り欠き部１４Ｕが設けられる。切り欠き部１４Ｕは、フィンガークリップ部１４Ｄの外縁に向かって貫通する開口部１４Ｊ（図２２参照）に連通している。フィンガークリップ部１４Ｄは、フランジ部１１Ｒを挟み込みつつ、フランジ部１１Ｒに対して摩擦係合によって取り付けられる。
【００９２】
フィンガークリップ部１４Ｄには、プランジャー２０およびガスケット２８を通すための開口部１４Ｈも設けられる。開口部１４Ｈに連続して、垂下部１５が垂れ下がるように設けられる。垂下部１５は、円筒状に形成される。垂下部１５の垂れ下がる方向の先端部が、薬液貯留部１０（図２２参照）の他端１３を構成する。薬液貯留部１０の他端１３側に、プランジャー２０およびガスケット２８を通すための開口部１３Ｈが形成される。
【００９３】
図２５は、鼻腔投与容器１０４に備えられるプランジャー移動量規制部材４０Ｄおよびフィンガークリップ部１４Ｄ同士が組み立てられる際の様子を示す斜視図である。図２５に示すように、本実施の形態における垂下部１５には、垂下部１５の長手方向に沿って延在する４つの切り欠き部１５Ｕが設けられる。４つの切り欠き部１５Ｕは、９０°間隔で配置される（図２６参照）。切り欠き部１５Ｕが垂下部１５に設けられることによって、垂下部１５の端部側（他端１３側）は、板ばね状に弾性変形することができる。
【００９４】
垂下部１５には、開口部１５Ｑ（図２４も参照）も設けられる。開口部１５Ｑは、後述するプランジャー移動量規制部材４０Ｄのフック部４６Ｊの形状に対応している。開口部１５Ｑの内側には、折り返し部１５Ｖ（図２７参照）が設けられる。折り返し部１５Ｖは、垂下部１５の内径側に向かって折り曲げられるように設けられるとともに、開口部１５Ｑ側に向かって傾斜している。
【００９５】
図２６は、鼻腔投与容器１０４に備えられるフィンガークリップ部１４Ｄを示す斜視図である。切り欠き部１５Ｕが垂下部１５に設けられることによって、垂下部１５の端部側（他端１３側）は４つの部位に分割される。４つに分割された垂下部１５の端部側（他端１３側）の部位のうち、対向する２つの部位には、断面視が略台形状の突出部１５Ｔ（図２７も参照）が設けられる。
【００９６】
（プランジャー２０）
図２４を再び参照して、本実施の形態におけるプランジャー２０は、略棒状に形成される。プランジャー２０は、薄板状に形成された４つのリブ部２１を有する。４つのリブ部２１は、プランジャー２０の長手方向に沿って、プランジャー２０の一端２２から他端２３に向かって延在する。４つのリブ部２１は、９０°間隔で配置されるとともに、プランジャー２０の長手方向に対して直交するように外側に向かって起立する。
【００９７】
プランジャー２０の一端２２には、ゴム製のガスケット２８が設けられる。プランジャー２０の他端２３には、円板状の押圧部２３Ｐが設けられる。上述のとおり、プランジャー２０は、一端２２側から、ガスケット２８とともに薬液貯留部１０（バレル１１）の開口部１３Ｈを通して薬液貯留部１０（バレル１１）の内部に差し込まれる。
【００９８】
本実施の形態におけるプランジャー２０には、当接部２７（第１当接部）、当接部２５Ｄ（第２当接部）、および、当接部２９が設けられる。当接部２７は円板状に形成される。なお、当接部２５Ｄおよび当接部２９は必要に応じて設けられるとよい。当接部２５Ｄおよび当接部２９がプランジャー２０に設けられる場合、当接部２５Ｄおよび当接部２９は、いずれも円板状に形成される。当接部２７は、当接部２５Ｄおよび当接部２９に比べて小径に構成される。当接部２５Ｄおよび当接部２９は、同径に構成される。当接部２７、当接部２５Ｄ、および当接部２９は、プランジャー２０の一端２２側から他端２３側に向かって順に並んでおり、互いに間隔を空けて配置される。当接部２７、当接部２５Ｄ、および当接部２９のさらなる詳細については後述する。
【００９９】
（プランジャー移動量規制部材４０Ｄ）
図２４および図２５を再び参照して、プランジャー移動量規制部材４０Ｄは、把持部４１、ストッパ部４２、ストッパ部４３、およびフック部４６Ｊ（図２５参照）を含む。ストッパ部４２およびストッパ部４３は、把持部４１の端部から連続するように形成される。ストッパ部４２およびストッパ部４３は、把持部４１を挟んで対称に形成され、全体として略半割の円筒形状を呈している。
【０１００】
図２５に示すように、フック部４６Ｊは、略半割の円筒形状を呈するストッパ部４２およびストッパ部４３の内周面に、Ｌ字状に突出するように設けられる。上述のとおり、フック部４６Ｊの形状は、フィンガークリップ部１４Ｄの垂下部１５に設けられる開口部１５Ｑの（折り返し部１５Ｖの）形状に対応している。鼻腔投与容器１０４（図２２および図２３参照）が組み立てられた状態においては、フック部４６Ｊは、開口部１５Ｑに連設された折り返し部１５Ｖ（図２７参照）に係合する。
【０１０１】
（鼻腔投与容器１０４の組立て）
図２７は、鼻腔投与容器１０４が組み立てられる際の様子を示す断面図である。鼻腔投与容器１０４が組み立てられる際には、まず、バレル１１のフランジ部１１Ｒに対して、フィンガークリップ部１４Ｄが取り付けられる（矢印ＡＲ１４Ｄ参照）。上述のとおり、フィンガークリップ部１４Ｄは、フランジ部１１Ｒを挟み込みつつ、フランジ部１１Ｒに対して摩擦係合によって取り付けられる。これにより、薬液貯留部１０（図２２および図２３参照）が得られる。また、上述のとおり、バレル１１の一端１２には、噴霧ノズル１２Ｍ（図１参照）が取り付けられる。
【０１０２】
次に、プランジャー移動量規制部材４０Ｄのストッパ部４２，４３が、フィンガークリップ部１４Ｄの外周を囲うように取り付けられる。プランジャー移動量規制部材４０Ｄのフック部４６Ｊは、フィンガークリップ部１４Ｄの開口部１５Ｑ（折り返し部１５Ｖ）に係合するように、開口部１５Ｑの内部に差し込まれる（矢印ＡＲ４０Ｄ参照）。
【０１０３】
その後、ガスケット２８が一端２２に取り付けられたプランジャー２０が準備される。ガスケット２８およびプランジャー２０は、薬液貯留部１０の他端１３の開口部１３Ｈおよびバレル１１の開口部１１Ｈを通して、バレル１１の内部に差し込まれる（矢印ＡＲ２０参照）。これにより、薬液貯留部１０およびプランジャー２０を含む本体部３０（図２２および図２３参照）が得られる。
【０１０４】
鼻腔投与容器１０４が組み立てられた状態において、プランジャー移動量規制部材４０Ｄは、フック部４６Ｊを利用して、本体部３０（具体的には、フィンガークリップ部１４Ｄの開口部１５Ｑおよび折り返し部１５Ｖ）に係合する（図２８参照）。プランジャー２０の当接部２７は、プランジャー移動量規制部材４０Ｄに設けられたフック部４６Ｊの先端部に対向するように配置される（図２８参照）。プランジャー２０の当接部２５Ｄは、フィンガークリップ部１４Ｄに設けられた突出部１５Ｔに対向するように配置される（図２８参照）。
【０１０５】
詳細は図３０を参照して後述されるが、当該構成によって、プランジャー２０の押圧部２３Ｐがプランジャー移動量規制部材４０Ｄのストッパ部４２，４３に当接した状態（図３０に示す状態）でのみ、プランジャー移動量規制部材４０Ｄの本体部３０に対する係合状態は解除されることが可能となっている。
【０１０６】
（鼻腔投与容器１０４の動作）
図２８〜図３３を参照して、鼻腔投与容器１０４の動作について説明する。鼻腔投与容器１０４は、第１投与準備状態Ｓ２１（図２８参照）、第１投与開始状態Ｓ２２（図２９参照）、第１投与完了状態Ｓ２３（図３０参照）、第２投与準備状態Ｓ２４（図３１参照）、第２投与開始状態Ｓ２５（図３２参照）、および、第２投与完了状態Ｓ２６（図３３参照）の各状態に順次遷移する。
【０１０７】
詳細は次述されるが、第１投与準備状態Ｓ２１、第１投与開始状態Ｓ２２、および第１投与完了状態Ｓ２３を通して、薬液６０の第１回目の投与が実施される。第２投与準備状態Ｓ２４、第２投与開始状態Ｓ２５、および第２投与完了状態Ｓ２６を通して、薬液６０の第２回目の投与が実施される。
【０１０８】
（第１投与準備状態Ｓ２１）
図２８を参照して、鼻腔投与容器１０４は、組み立てられた状態で、ノズル１２Ｎ側から薬液６０が注入（または吸入）される（図２８に示す状態）。薬液６０の注入が完了することによって、鼻腔投与容器１０４は第１投与準備状態Ｓ２１に遷移する。この際、薬液貯留部１０（バレル１１）の一端１２側に、空気６２が入り込む場合がある。
【０１０９】
（第１投与開始状態Ｓ２２）
図２９を参照して、鼻腔に投与されるべき薬液６０の量を所定の値に規定することと、（必要に応じて）薬液貯留部１０（バレル１１）の内部に入り込んだ空気を抜くこととを目的として、プライミングという動作が実施される。
【０１１０】
具体的には、プランジャー２０が薬液貯留部１０（バレル１１）の内部に差し込まれる（矢印ＡＲ１参照）。プランジャー２０およびガスケット２８は、バレル１１の内部に対して摺接しつつ、プランジャー２０の当接部２５Ｄがフィンガークリップ部１４Ｄの突出部１５Ｔ（突出部１５Ｔの後端）に当接するまで、バレル１１の内部に入り込む。
【０１１１】
プランジャー２０の当接部２５Ｄがフィンガークリップ部１４Ｄの突出部１５Ｔに当接することによって、プランジャー移動量規制部材４０Ｄの本体部３０に対する移動は停止される（図２９に示す状態）。本実施の形態においては、本体部３０を構成するフィンガークリップ部１４Ｄが、「ストッパ部４２，４３および本体部３０のうちの一方」に相当している。
【０１１２】
プランジャー移動量規制部材４０Ｄの本体部３０に対する移動が停止されることによって、鼻腔投与容器１０４は第１投与開始状態Ｓ２２に遷移する。薬液貯留部１０（バレル１１）の内部の空気は薬液貯留部１０の外部に押し出され、鼻腔に投与されるべき薬液６０の量は所定の値に規定される。
【０１１３】
（第１投与完了状態Ｓ２３）
図３０を参照して、鼻腔に投与されるべき薬液６０の量が所定の値に規定された後、ノズル１２Ｎ側に取り付けられた噴霧ノズル１２Ｍ（図１参照）が一方の鼻腔の中に配置される。この状態で、押圧部２３Ｐを利用して、プランジャー２０が薬液貯留部１０（バレル１１）の内部に強く押し込まれる（矢印ＡＲ２参照）。
【０１１４】
プランジャー２０が勢いよく押し込まれることによって、プランジャー２０の当接部２５Ｄがフィンガークリップ部１４Ｄの突出部１５Ｔに対して当接している状態は解除される。
【０１１５】
第１回目の薬液６０の投与が開始される際において、プランジャー２０の当接部２５Ｄは、突出部１５Ｔの内周面に対して摩擦係合するように構成されてもよい。当該構成は、当接部２５Ｄの突出寸法を突出部１５Ｔの内径に対して若干大きくすることによって得られる。
【０１１６】
当該構成によれば、第１回目の投与が開始されるにあたって、当接部２５Ｄの突出部１５Ｔに対する摩擦係合を解除するために、比較的大きな押圧力が押圧部２３Ｐに付与される。摩擦係合が比較的大きな押圧力によって解除された後、その勢いをもって、プランジャー２０は薬液貯留部１０の内部に勢いよく押し込まれることができる。薬液６０は、第１回目の投与において良好な霧状となって適切に投与されることが可能となる。
【０１１７】
当接部２５Ｄが突出部１５Ｔの内側に向かって入り込みつつ、プランジャー２０は薬液貯留部１０の内部を前進する。この際、切り欠き部１５Ｕの配設によって４つに分割された垂下部１５は、外側に向かってわずかに弾性変形している。ガスケット２８は、プランジャー２０に押されることによって薬液貯留部１０の内部に入り込む。
【０１１８】
このように、薬液貯留部１０の内部の薬液６０は、ガスケット２８の移動によって噴霧ノズル１２Ｍ（図１参照）から噴霧される。噴霧ノズル１２Ｍから一方の鼻腔に向かって、薬液６０が霧状に投与される。プランジャー２０は、押圧部２３Ｐがプランジャー移動量規制部材４０Ｄのストッパ部４２，４３の下端に当接するまで前進する。
【０１１９】
押圧部２３Ｐがプランジャー移動量規制部材４０Ｄのストッパ部４２，４３の下端に当接することによって、プランジャー２０の薬液貯留部１０に対する移動は停止される（図３０に示す状態）。この際、当接部２９は突出部１５Ｔの後端に当接する。プランジャー２０の移動が停止することによって、第１回目の投与が完了し、鼻腔投与容器１０４は第１投与完了状態Ｓ２３に遷移する。プランジャー２０の薬液貯留部１０に対するストローク量が、第１回目の薬液６０の投与量を規定している。
【０１２０】
ここで、矢印ＡＲ２ａに示すように、押圧部２３Ｐがプランジャー移動量規制部材４０Ｄのストッパ部４２，４３の下端に当接するのと同時に、プランジャー２０に設けられた当接部２７は、プランジャー移動量規制部材４０Ｄのフック部４６Ｊに当接している。プランジャー２０の当接部２７は、フック部４６Ｊの開口部１５Ｑおよび折り返し部１５Ｖに対する係合状態を解除するように、フック部４６Ｊを折り返し部１５Ｖから遠ざかる方向に弾性変形させている。
【０１２１】
この弾性変形によって、第１回目の薬液６０の投与が完了した状態（図３０に示す状態）においては、フック部４６Ｊの開口部１５Ｑおよび折り返し部１５Ｖに対する係合状態は解除されている。このように、鼻腔投与容器１０４においては、プランジャー２０の押圧部２３Ｐがプランジャー移動量規制部材４０Ｄのストッパ部４２，４３に当接した状態（図３０に示す状態）でのみ、プランジャー移動量規制部材４０Ｄの本体部３０に対する係合状態は解除されることが可能となっている。
【０１２２】
（第２投与準備状態Ｓ２４）
図３１を参照して、第２回目の薬液６０の投与を行なうために、矢印ＡＲ３に示すように、プランジャー移動量規制部材４０Ｄは本体部３０から取り外される（図３１に示す状態）。プランジャー移動量規制部材４０Ｄが本体部３０から取り外されることによって、鼻腔投与容器１０４は第２投与準備状態Ｓ２４に遷移する。
【０１２３】
（第２投与開始状態Ｓ２５）
図３２を参照して、プランジャー移動量規制部材４０Ｄが本体部３０から取り外された後（第２投与準備状態Ｓ２４の後）、鼻腔投与容器１０４のノズル１２Ｎ側に取り付けられた噴霧ノズル１２Ｍ（図１参照）は、他方の鼻腔の中に配置される。これにより、鼻腔投与容器１０４は第２投与開始状態Ｓ２５に遷移する。
【０１２４】
（第２投与完了状態Ｓ２６）
図３３を参照して、鼻腔投与容器１０４の噴霧ノズル１２Ｍ（図１参照）が他方の鼻腔の中に配置された後、押圧部２３Ｐを利用して、プランジャー２０が薬液貯留部１０（バレル１１）の内部にさらに押し込まれる（矢印ＡＲ４参照）。
【０１２５】
プランジャー２０が勢いよく押し込まれることによって、プランジャー２０の当接部２９がフィンガークリップ部１４Ｄの突出部１５Ｔに対して当接している状態は解除される。プランジャー２０は薬液貯留部１０の内部を前進する。ガスケット２８は、プランジャー２０に押されることによって薬液貯留部１０の内部にさらに入り込む。
【０１２６】
第２回目の薬液６０の投与が開始される際において、プランジャー２０の当接部２９は、突出部１５Ｔの内周面に対して摩擦係合するように構成されてもよい。当該構成は、当接部２９の突出寸法を突出部１５Ｔの内径に対して若干大きくすることによって得られる。
【０１２７】
当該構成によれば、第２回目の投与が開始されるにあたって、当接部２９の突出部１５Ｔに対する摩擦係合を解除するために、比較的大きな押圧力が押圧部２３Ｐに付与される。摩擦係合が比較的大きな押圧力によって解除された後、その勢いをもって、プランジャー２０は薬液貯留部１０の内部に勢いよく押し込まれることができる。薬液６０は、第２回目の投与においても良好な霧状となって適切に投与されることが可能となる。
【０１２８】
このように、薬液貯留部１０の内部の薬液６０は、ガスケット２８の移動によって噴霧ノズル１２Ｍ（図１参照）から噴霧される。噴霧ノズル１２Ｍから他方の鼻腔に向かって、薬液６０が霧状に投与される。プランジャー２０は、ガスケット２８がバレル１１の内部の上端に当接するまで前進する。プランジャー２０は、押圧部２３Ｐがフィンガークリップ部１４Ｄの垂下部１５の下端（他端１３）に当接するまで前進するように構成されてもよい。
【０１２９】
ガスケット２８がバレル１１の内部の上端に当接するまで前進することによって、プランジャー２０の薬液貯留部１０に対する移動は停止される（図３３に示す状態）。プランジャー２０の移動が停止することによって、第２回目の投与が完了し、鼻腔投与容器１０４は第２投与完了状態Ｓ２６に遷移する。プランジャー２０の薬液貯留部１０に対するストローク量が、第２回目の薬液６０の投与量を規定している。鼻腔投与容器１０４は以上のように動作するとともに、鼻腔投与容器１０４による薬液６０の投与は以上のように実施される。
【０１３０】
（作用・効果）
鼻腔投与容器１０４においては、上述のとおり、当接部２５Ｄがプランジャー２０に設けられるとともに、本体部３０（フィンガークリップ部１４Ｄ）には突出部１５Ｔが設けられる。プランジャー２０の当接部２５Ｄがフィンガークリップ部１４Ｄの突出部１５Ｔに当接することによって、鼻腔投与容器１０４は、第１投与準備状態Ｓ２１（図２８参照）から第１投与開始状態Ｓ２２（図２９参照）に容易に遷移することができる。なお、上述のとおり、当接部２５Ｄは必要に応じて設けられるとよい。
【０１３１】
鼻腔投与容器１０４においては、上述のとおり、第１投与準備状態Ｓ２１（図２８参照）、第１投与開始状態Ｓ２２（図２９参照）、および第１投与完了状態Ｓ２３（図３０参照）を通して、プランジャー移動量規制部材４０Ｄは本体部３０に係合している。プランジャー２０の押圧部２３Ｐがプランジャー移動量規制部材４０Ｄのストッパ部４２，４３に当接した状態でのみ、プランジャー移動量規制部材４０Ｄの本体部３０に対する係合状態は解除されることが可能となっている。
【０１３２】
第１回目の薬液６０の投与が完了するまでは、プランジャー移動量規制部材４０Ｄは本体部３０から取り外されないため、鼻腔投与容器１０４は適切な量の投与を確実に実施することができる。第１回目の薬液６０の投与が完了するのと同時に、プランジャー移動量規制部材４０Ｄは、係合が解除されたフック部４６Ｊを利用して、本体部３０から容易に取り外されることができる。鼻腔投与容器１０４は、第１回目の投与が完了した後、第２回目の投与を準備する上での利便性が高い。
【０１３３】
上述のとおり、鼻腔投与容器１０４においては、本体部３０（具体的には、フィンガークリップ部１４Ｄの垂下部１５）に、開口部１５Ｑ（第１嵌合部）が設けられる。プランジャー移動量規制部材４０Ｄに、フック部４６Ｊ（第２嵌合部）が設けられる。フック部４６Ｊが開口部１５Ｑに嵌め込まれることによって、上述の実施の形態２〜４と同様に、プランジャー移動量規制部材４０Ｄの本体部３０に対する移動が規制される。プランジャー移動量規制部材４０Ｄが本体部３０に対して固定されるため、鼻腔投与容器１０４は、プランジャー２０を薬液貯留部１０の内部に押し込む際の動作上の安定性が良い。
【０１３４】
以上、本発明に基づいた各実施の形態について説明したが、今回開示された各実施の形態はすべての点で例示であって制限的なものではない。上記の各実施の形態においては、空の状態のバレル１１内に薬液６０を注入（または吸入）操作するという使用態様に基づき説明したが、バレル１１内に予め薬液６０が充填された状態で販売または譲渡され、その状態で使用されるいわゆるプレフィルドタイプにも本発明は適用されることが可能である。したがって、本発明の技術的範囲は請求の範囲によって示され、請求の範囲と均等の意味および範囲内でのすべての変更が含まれることが意図される。
【符号の説明】
【０１３５】
１０  薬液貯留部、１１  バレル、１１Ｈ，１３Ｈ，１４Ｈ，１４Ｊ  開口部、１１Ｒ  フランジ部（第１嵌合部）、１２，２２  一端、１２Ｍ  噴霧ノズル、１２Ｎ  ノズル、１３，２３  他端、１４，１４Ａ，１４Ｂ，１４Ｃ，１４Ｄ  フィンガークリップ部、１４Ｕ，１５Ｕ  切り欠き部、１５  垂下部、１５Ｃ  凹部（第１嵌合部）、１５Ｐ  凸部（第１嵌合部）、１５Ｑ  開口部（第１嵌合部）、１５Ｔ  突出部、１５Ｖ  折り返し部、２０  プランジャー、２１  リブ部、２３Ｐ  押圧部、２４  先端部、２５，２５Ｄ  当接部（第２当接部）、２６  括れ部、２７  当接部（第１当接部）、２８  ガスケット、２９  当接部、３０  本体部、４０，４０Ａ，４０Ｂ，４０Ｃ，４０Ｄ  プランジャー移動量規制部材、４０Ｍ  長溝、４０Ｙ  リブ、４１  把持部、４１Ｔ  端面、４２，４３  ストッパ部、４２Ｅ，４３Ｅ  挟持部、４６  囲い部、４６Ｃ  開口部（第２嵌合部）、４６Ｋ  凹部（第２嵌合部）、４６Ｊ  フック部（第２嵌合部）、４６Ｐ  凸部（第２嵌合部）、６０  薬液、６２  空気、１００，１０１，１０２，１０３，１０４  鼻腔投与容器、ＡＲ１，ＡＲ２，ＡＲ２ａ，ＡＲ３，ＡＲ４，ＡＲ１４Ｄ，ＡＲ２０，ＡＲ２０Ｃ，ＡＲ４０，ＡＲ４０Ａ，ＡＲ４０Ｂ，ＡＲ４０Ｃ，ＡＲ４０Ｄ，ＡＲ４１Ｃ  矢印、Ｈ１，Ｈ２  寸法、Ｌ１，Ｌ２，Ｌ３  間隔、Ｓ１１，Ｓ２１  第１投与準備状態、Ｓ１２，Ｓ２２  第１投与開始状態、Ｓ１３，Ｓ２３  第１投与完了状態、Ｓ１４，Ｓ２４  第２投与準備状態、Ｓ１５，Ｓ２５  第２投与開始状態、Ｓ１６，Ｓ２６  第２投与完了状態。
【図１】
2012157582.tif 000003
【図２】
2012157582.tif 000004
【図３】
2012157582.tif 000005
【図４】
2012157582.tif 000006
【図５】
2012157582.tif 000007
【図６】
2012157582.tif 000008
【図７】
2012157582.tif 000009
【図８】
2012157582.tif 000010
【図９】
2012157582.tif 000011
【図１０】
2012157582.tif 000012
【図１１】
2012157582.tif 000013
【図１２】
2012157582.tif 000014
【図１３】
2012157582.tif 000015
【図１４】
2012157582.tif 000016
【図１５】
2012157582.tif 000017
【図１６】
2012157582.tif 000018
【図１７】
2012157582.tif 000019
【図１８】
2012157582.tif 000020
【図１９】
2012157582.tif 000021
【図２０】
2012157582.tif 000022
【図２１】
2012157582.tif 000023
【図２２】
2012157582.tif 000024
【図２３】
2012157582.tif 000025
【図２４】
2012157582.tif 000026
【図２５】
2012157582.tif 000027
【図２６】
2012157582.tif 000028
【図２７】
2012157582.tif 000029
【図２８】
2012157582.tif 000030
【図２９】
2012157582.tif 000031
【図３０】
2012157582.tif 000032
【図３１】
2012157582.tif 000033
【図３２】
2012157582.tif 000034
【図３３】
2012157582.tif 000035
【国際調査報告】
2012157582.tif 000036
2012157582.tif 000037